(57)【特許請求の範囲】
【請求項１】
レーザ素子と、
前記レーザ素子が連続して記録可能なデータ長の上限値が設定された上限長情報、及び、前記レーザ素子の光出力特性が設定された光出力データテーブルを格納する記憶部と、
光ディスクに記録するデータを分割して前記上限値以下のデータ長の分割データを生成するデータ分割部と、
各分割データを記録する毎に、前記レーザ素子のレーザ光をボトムパワーで出力させるための基底電力の電力値を再設定する駆動電力設定部と、
を備え、
前記駆動電力設定部は、前記光出力データテーブルに基づいて、各分割データを記録する毎に、前記レーザ光をイレースパワーで出力させるためのイレース電力の電力値と再設定された前記基底電力の電力値との差に対して、前記レーザ光をピークパワーで出力させるためのピーク電力の電力値と再設定された前記基底電力の電力値との差が予め定められた比率となるように、前記ピーク電力の電力値を設定することを特徴とする光ディスク記録装置。
【請求項２】
前記レーザ素子の光出力を制御する駆動制御部をさらに備え、
前記駆動制御部は、各分割データを記録する毎に、前記駆動電力設定部が再設定する前記基底電力の電力値に応じた基底電流の電流値を前記レーザ素子に供給することを特徴とする請求項１に記載の光ディスク記録装置。
【請求項３】
前記レーザ素子の温度を検知する温度センサと、
前記レーザ素子に供給する駆動電力の電力値が設定された情報を格納する記憶媒体と、
をさらに備え、
前記記憶媒体は前記温度毎の前記情報を格納し、
前記駆動電力設定部は、各分割データを記録する毎に、前記温度センサが検知する前記温度、及び前記情報に基づいて前記基底電力の電力値を再設定することを特徴とする請求項１又は請求項２に記載の光ディスク記録装置。
【請求項４】
レーザ素子が連続して記録可能なデータ長の上限値が設定された上限長情報を記憶部から読み出すステップと、
光ディスクに記録するデータを分割して前記上限値以下のデータ長の分割データを生成するステップと、
各分割データを記録する毎に、レーザ素子のレーザ光をボトムパワーで出力させるための基底電力の電力値を再設定するステップと、
前記レーザ素子の光出力特性が設定された光出力データテーブルに基づいて、各分割データを記録する毎に、前記レーザ光をイレースパワーで出力させるためのイレース電力の電力値と再設定された前記基底電力の電力値との差に対して、前記レーザ光をピークパワーで出力させるためのピーク電力の電力値と再設定された前記基底電力の電力値との差が予め定められた比率となるように、前記ピーク電力の電力値が設定されるステップと、
を備えることを特徴とする光ディスク記録方法。
【発明の詳細な説明】
【技術分野】
【０００１】
本発明は、光ディスク記憶媒体にデータを記録する光ディスク記録装置及び光ディスク記録方法に関し、特に、ＤＶＤ−ＲＷやＤＶＤ＋ＲＷにデータを記録する光ディスク記録装置及び光ディスク記録方法に関する。
【背景技術】
【０００２】
ＤＶＤレコーダやＢＤレコーダなどの光ディスク記録装置では、光ピックアップに搭載された半導体レーザ素子から出射されるレーザ光により、ＤＶＤやＢＤなどの光ディスクにデータを記録している。このような光ディスク記録装置では、光ディスクの種類に応じてレーザ光の駆動電力を決定する。
【０００３】
たとえば、ＤＶＤ−ＲＷやＤＶＤ＋ＲＷにデータを記録するときの駆動電力は、半導体レーザ素子をボトムパワーＰｂの光出力で発光させるためのボトム電力、イレースパワーＰｅの光出力で発光させるためのイレース電力、ピークパワーＰｗの光出力で発光させるためのピーク電力で構成される。これらは、予め定められた値に設定されており、一般に、半導体レーザ素子の駆動電流Ｉｏｐにより制御される。図６は、従来における駆動電流に対する半導体レーザ素子の光出力特性を示すグラフである。図６のように、ボトムパワーＰｂはボトム電流（電流値Ｉｒｅａｄ）により制御され、イレースパワーＰｅはイレース電流（電流値Ｉｅ）により制御され、ピークパワーＰｗはピーク電流（電流値Ｉｗ）により制御される。
【０００４】
ＤＶＤ−ＲＷやＤＶＤ＋ＲＷにデータが記録されるとき、記録動作が開始される前に、たとえば図６のＬ１に基づいて、ボトム電流Ｉｒｅａｄ１の電流値及びイレース電流Ｉｅ１の電流値が設定される。そして、これらの電流値Ｉｒｅａｄ１及びＩｅ１に基づいて、ピーク電流Ｉｗ１の電流値が設定される。ピーク電流Ｉｗ１の電流値は、たとえば特許文献１〜５のように、イレース電流Ｉｅ１の電流値とボトム電流Ｉｒｅａｄ１の電流値との差（Ｉｅ１−Ｉｒｅａｄ１）に対してピーク電流Ｉｗ１の電流値とボトム電流Ｉｒｅａｄ１の電流値との差（Ｉｗ１−Ｉｒｅａｄ１）が予め定められた比率ε（ε＞１）となるように設定される。
【０００５】
決定されたボトム電流Ｉｒｅａｄの電流値は記録処理が終了するまで変更されることはないが、イレース電流Ｉｅ１の電流値は、記録動作中にイレースパワーＰｅが変動しないようにフィードバック制御される。また、ピーク電流Ｉｗ１の電流値は、記録動作の開始前に設定されたボトム電流Ｉｒｅａｄ１の電流値、フィードバック制御されるイレース電流Ｉｅ１の電流値、及び予め定められた比率εに応じて、上述のように制御される。
【先行技術文献】
【特許文献】
【０００６】
【特許文献１】特開２００９−２４５４８７号公報
【特許文献２】特開２００４−３４２２７１号公報
【特許文献３】特開２００４−３２６８４１号公報
【特許文献４】特開２００９−８７３９９号公報
【特許文献５】特開２００４−１９９８３９号公報
【発明の概要】
【発明が解決しようとする課題】
【０００７】
しかしながら、ＤＶＤ−ＲＷやＤＶＤ＋ＲＷではデータを１回の記録動作で記録するため、データ長が長いと、記録動作中に半導体レーザ素子の素子温度が上昇して、駆動電力（特に、駆動電流Ｉｏｐ）に対する半導体レーザ素子の光出力特性が変化することがある。その場合、記録動作中に半導体レーザ素子の光出力が変動するため、適正な記録動作ができなくなり、記録処理が続行できなくなったり、記録動作により記録したデータを読み出すことができなくなったりするおそれがある。
【０００８】
たとえば、図６において、記録動作中に素子温度が上昇して半導体レーザ素子の光出力特性がＬ１からＬ２に変化すると、レーザ光をボトムパワーＰｂで光出力するために必要なボトム電流Ｉｒｅａｄの電流値が変化する。このとき、イレースパワーＰｅはレーザ光の光出力に応じてフィードバック制御されるので変動しないが、イレースパワーＰｅで光出力するために必要なイレース電流ＩｅはＩｅ１からＩｅ２に変化するので、その電流値は特性曲線Ｌ２に基づいてΔＩｅだけ変動する。一方、ピーク電流ＩもＩｗ１からＩｗ２に変化するが、ピーク電流Ｉｗの電流値はイレース電流Ｉｅの電流値の変化量ΔＩｅに応じて（ε・ΔＩｅ）だけ変動した値に設定される。そのため、半導体レーザ素子の光出力（発光パワー）はピークパワーＰｗからΔＰだけ変動することになる。
【０００９】
これに対して、特許文献１では、半導体レーザ素子から出射されるレーザ光のモニタ値と駆動電力との関係を表す感度係数に基づいて、比率εを補正することにより、駆動電力の変動を抑制している。また、特許文献２では、イレース電流の電流値での発光期間中にサンプルホールドした半導体レーザ素子の発光パワーの平均値を求め、求めた平均値及びイレース電流の電流値を用いて、半導体レーザ素子の電流値対発光パワー比からデータを記録するためのピークパワーを得るためのピーク電流の電流値を求めている。また、特許文献３では、半導体レーザ素子をボトムパワー及びイレースパワーで発光させる状態において、ボトムパワーでの電流値及びイレースパワーでの電流値間で変化する制御信号のパルス波形の振幅を測定し、その振幅から求めるイレース電流の電流値と、記録速度により決定されるε値とにより、ピーク電流の電流値を求めている。また、特許文献４では、イレース電流の電流値を変化させたときの消去率から理想のイレース電流の電流値を求め、理想のイレース電流の電流値及び比率εからピーク電流の電流値を求めている。また、特許文献５では、ピーク電流の電流値にイレース電流の電流値の変化分を加減算することにより、ピーク電流の電流値を一定に保っている。しかしながら、特許文献１〜４では、レーザ光の発光パワーや、ＤＣイレースの消去率、制御信号のパルス波形をモニタしてフィードバック制御する必要があり、特許文献５では加算回路や減算回路が必要となる。そのため、装置の構成が複雑化し、製造コストも増加するという問題がある。
【００１０】
本発明は、上記の問題を鑑みてなされたものであり、ＤＶＤ−ＲＷやＤＶＤ＋ＲＷにデータを記録する動作中におけるレーザ素子の光出力の変動を抑制することができる光ディスク装置及び光ディスク記録方法を提供することを目的とする。
【課題を解決するための手段】
【００１１】
上記目的を達成するために本発明の光ディスク記録装置は、半導体レーザ素子を有し、光ディスク記録媒体にデータを記録する光ピックアップ部と、１回の記録動作でＤＶＤ−ＲＷ又はＤＶＤ＋ＲＷに記録するデータのデータ長の上限値が予め設定される上限長情報を格納する記憶部と、前記光ディスク記録媒体がＤＶＤ−ＲＷ又はＤＶＤ＋ＲＷであるか否かを判定する判定回路部と、前記光ディスク記録媒体がＤＶＤ−ＲＷ又はＤＶＤ＋ＲＷであると判定されるとき、前記光ディスク記録媒体に記録するデータを、前記上限長情報に設定された前記上限値以下のデータ長の分割データに分割するデータ分割回路部と、前記分割データの記録動作毎に、前記半導体レーザ素子にボトムパワーのレーザ光を出力させるための基底電力の電力値を再設定する駆動電力設定回路部と、を備える。
【００１２】
上記構成によれば、ＤＶＤ−ＲＷ又はＤＶＤ＋ＲＷの光ディスク記録媒体にデータを記録するとき、記録するデータが上限長情報に設定された上限値以下のデータ長の分割データに分割される。そして、分割データの記録動作毎に、半導体レーザ素子をボトムパワーで発光させるための基底電力の電力値が再設定される。そのため、ＤＶＤ−ＲＷ又はＤＶＤ＋ＲＷに記録するデータのデータ長が記録動作中に半導体レーザ素子の素子温度が上昇するほどに長い場合であっても、データの記録処理中に基底電力の電力値が再設定されるので、半導体レーザ素子に供給される駆動電力がずれることがない。従って、ＤＶＤ−ＲＷやＤＶＤ＋ＲＷにデータを記録する動作中における半導体レーザ素子の光出力の変動を抑制することができる。
【００１３】
また、上記構成において、前記半導体レーザ素子の光出力を制御する駆動制御回路部をさらに備え、前記駆動制御回路部は、前記分割データの記録動作毎に、前記駆動電力設定回路部が再設定する前記基底電力の電力値に応じた基底電流の電流値を前記半導体レーザ素子に供給してもよいし、さらに、前記半導体レーザ素子にピークパワーのレーザ光を出力させるためのイレース電力の電力値と前記基底電力の電力値との差に対して、前記半導体レーザ素子にピークパワーのレーザ光を出力させるための前記ピーク電力の電力値と前記基底電力の電力値との差が予め定められた比率となるように、前記ピーク電力の電力値が設定されてもよい。
【００１４】
また、上記目的を達成するために本発明の光ディスク記録方法は、前記光ディスク記録媒体がＤＶＤ−ＲＷ又はＤＶＤ＋ＲＷであるか否かを判定するステップと、前記光ディスク記録媒体がＤＶＤ−ＲＷ又はＤＶＤ＋ＲＷであると判定されるとき、光ピックアップ部が１回の記録動作で前記光ディスク記録媒体に記録するデータのデータ長の上限値が予め設定される上限長情報を記憶部から読み出すステップと、前記光ディスク記録媒体がＤＶＤ−ＲＷ又はＤＶＤ＋ＲＷであると判定されるとき、前記光ディスク記録媒体に記録するデータを、前記上限長情報に設定された前記上限値以下のデータ長の分割データに分割するステップと、前記分割データの記録動作毎に、前記光ピックアップ部が有する半導体レーザ素子にボトムパワーのレーザ光を出力させるための基底電力の電力値を再設定するステップと、を備える。
【００１５】
上記構成によれば、ＤＶＤ−ＲＷ又はＤＶＤ＋ＲＷの光ディスク記録媒体にデータを記録するとき、記録するデータが上限長情報に設定された上限値以下のデータ長の分割データに分割される。そして、分割データの記録動作毎に、半導体レーザ素子をボトムパワーで発光させるための基底電力の電力値が再設定される。そのため、ＤＶＤ−ＲＷ又はＤＶＤ＋ＲＷに記録するデータのデータ長が記録動作中に半導体レーザ素子の素子温度が上昇するほどに長い場合であっても、データの記録処理中に基底電力の電力値が再設定されるので、半導体レーザ素子に供給される駆動電力がずれることがない。従って、ＤＶＤ−ＲＷやＤＶＤ＋ＲＷにデータを記録する動作中における半導体レーザ素子の光出力の変動を抑制することができる。
【発明の効果】
【００１６】
本発明によれば、ＤＶＤ−ＲＷ又はＤＶＤ＋ＲＷの光ディスク記録媒体にデータを記録するとき、記録するデータが上限長情報に設定された上限値以下のデータ長の分割データに分割される。そして、分割データの記録動作毎に、半導体レーザ素子をボトムパワーで発光させるための基底電力の電力値が再設定される。そのため、ＤＶＤ−ＲＷ又はＤＶＤ＋ＲＷに記録するデータのデータ長が記録動作中に半導体レーザ素子の素子温度が上昇するほどに長い場合であっても、データの記録処理中に基底電力の電力値が再設定されるので、半導体レーザ素子に供給される駆動電力がずれることがない。従って、ＤＶＤ−ＲＷやＤＶＤ＋ＲＷにデータを記録する動作中における半導体レーザ素子の光出力の変動を抑制することができる。
【図面の簡単な説明】
【００１７】
【図１】本実施形態に係る光ディスク記録装置の構成図である。
【図２】ＤＶＤ−ＲＷ又はＤＶＤ＋ＲＷにデータを記録するときにレーザダイオードが出力する光出力波形の一例を示す図である。
【図３】本実施形態に係る光ディスク記録装置に光ディスクをマウントしたときの動作を説明するためのフローチャートである。
【図４】本実施形態に係る光ディスク記録装置がＤＶＤにデータを記録するときの動作を説明するためのフローチャートである。
【図５】本実施形態における駆動電流に対するレーザダイオードの光出力特性を示すグラフである。
【図６】従来における駆動電流に対する半導体レーザ素子の光出力特性を示すグラフである。
【発明を実施するための形態】
【００１８】
以下に本発明の実施形態について図面を参照して説明する。
【００１９】
まず、本実施形態に係る光ディスク記録装置１について説明する。光ディスク記録装置１は、たとえばＤＶＤプレイヤーやＢＤプレイヤーであり、たとえば、ＤＶＤ（Digital Versatile Disc）などの着脱可能な光ディスク２（光ディスク記録媒体）に対してデータの書き込み（記録）や読み出しを行う。この光ディスク２は少なくともＤＶＤ−ＲＷ又はＤＶＤ＋ＲＷであればよい。そのほかに、たとえばＢＤ（Blue-ray Disc）や、ＤＶＤ−ＲＷやＤＶＤ＋ＲＷ以外のＤＶＤ、ＣＤ（Compact Disc）などの光ディスク記録媒体が該当するが、特に限定しない。
【００２０】
図１は、本実施形態に係る光ディスク記録装置の構成図である。光ディスク記録装置１は、光ピックアップ部１０と、メモリ２０（記憶部）と、制御回路部３０と、ＬＤドライバ４０（駆動制御回路部）と、サーボ回路部５０と、スピンドルモータ６０と、映像音声処理回路部７０と、出力回路部８０と、を備えている。この他、光ディスク記録装置１は、ＨＤＤ（Hard Disk Drive）などの記憶装置を備えていてもよい。
【００２１】
光ピックアップ部１０は、光ディスク記録装置１にマウントされた光ディスク２に対して、データの書き込み（記録）や読み出しを行う。光ピックアップ部１０は、対物レンズ１０３と、アクチュエータ１０４と、ビームスプリッタ１０２と、レーザダイオード１０１（半導体レーザ素子）と、フォトダイオード１０５と、を有している。なお、以下では、レーザダイオードをＬＤと呼び、フォトダイオードをＰＤと呼ぶ。
【００２２】
ＬＤ１０１は、ＬＤドライバ４０から供給される駆動電力に応じた強さのレーザ光を出射する。たとえば、光ディスク２がＤＶＤ−ＲＷ又はＤＶＤ＋ＲＷであるとき、データを記録する際、ＬＤ１０１は３つの発光パワー（すなわち、ボトムパワーＰｂ、イレースパワーＰｅ、及びピークパワーＰｗ）で構成されるマルチパルス状の光出力を行う。図２は、ＤＶＤ−ＲＷ又はＤＶＤ＋ＲＷにデータを記録するときにレーザダイオードが出力する光出力波形の一例を示す図である。光ディスク２の記録層において、ボトムパワーＰｂ及びピークパワーＰｗで構成されるマルチパルス状の光出力のレーザ光が照射される領域Ｃは液晶状態に変化し、イレースパワーＰｅの光出力のレーザ光が照射される領域Ａは非結晶状態に変化する。ＤＶＤ−ＲＷ又はＤＶＤ＋ＲＷの光ディスク２では、液晶領域Ｃ及び非結晶領域Ａを予め定められた組み合わせで形成することにより、データが記録される。なお、ＬＤ１０１には一定の定格電圧が印加されている。そのため、実際には、ＬＤ１０１のレーザ光の光出力はＬＤドライバ４０から供給される駆動電流Ｉｏｐにより制御される。
【００２３】
ビームスプリッタ１０２は、ＬＤ１０１から出射されるレーザ光を、光ディスク記録装置１にマウントされている光ディスク２の記録面へと導く。また、ビームスプリッタ１０２は、光ディスク２の記録面にて反射されたレーザ光（以下、反射光と呼ぶ。）を、ＰＤ１０５に導く。
【００２４】
対物レンズ１０３は、光ディスク２の記録面に入射するレーザ光を集光して、レーザ光による光スポットを光ディスク２の記録面上に形成する。
【００２５】
アクチュエータ１０４は、フォーカスサーチやトラッキング調整などを行うために、サーボ回路部５０から出力される制御信号に基づいて、対物レンズ１０３をフォーカス方向（光ディスク２の面に垂直な方向）やトラッキング方向（光ディスク２の半径方向）に駆動する。
【００２６】
ＰＤ１０５は、受光する反射光を光電変換し、この反射光の強さに応じた大きさの電流信号を生成する。なお、ＰＤ１０５において生成された電流信号は、所定の変換回路によって、当該電流信号の大きさに対応した電圧信号に変換されるようになっていてもよい。いずれにしても、光ピックアップ部１０によって、反射光の強さに応じた大きさの光電変換信号（電流信号あるいは電圧信号）が生成されることになる。また、この光電変換信号は、反射光の強さを反映しているため、光ディスク２に対して記録又は読み取ったデータを含むとともに、ＬＤ１０１から出射されたレーザ光の光出力（発光パワー）の情報をも含んでいる。そこで光ディスク記録装置は、この光電変換信号をＬＤ１０１が発するレーザ光の光出力をフィードバック制御するための制御信号としても利用する。そのため、ＰＤ１０５から出力される光電変換信号は、ＬＤドライバ４０及び映像音声処理回路部７０に出力される。
【００２７】
メモリ２０は、不揮発性の記憶媒体であり、制御回路部３０により利用される制御情報及びプログラムを格納している。この制御情報は、上限長情報や光出力データテーブルなどを含んでいる。なお、上限長情報には、光ピックアップ部１０が１回の記録動作でＤＶＤ−ＲＷ又はＤＶＤ＋ＲＷに記録するデータのデータ長の上限値が予め設定されている。また、光出力データテーブルには、光ディスク２の種類と、ＬＤ１０１のレーザ光の光出力の設定値と、ＬＤ１０１に供給する駆動電力（印加電圧及び駆動電流Ｉｏｐ）の設定値と、ピーク電力の電力値やピーク電流の電流値Ｉｗの算出に利用される比率εと、が互いに関連付けられて予め設定されている。そのほか、メモリ２０は、映像音声処理回路部７０にて生成されるコンテンツデータや、映像音声出力回路部８０に対して入出力されるデータなどを格納している。
【００２８】
制御回路部３０は、メモリ２０に格納された制御情報やプログラムを利用して光ディスク記録装置１の各部を制御している。また、制御回路部３０は、判定回路部３０１と、データ分割回路部３０２と、駆動電力設定回路部３０３と、を有している。
【００２９】
判定回路部３０１は、光ピックアップ部１０が光ディスク２の内周領域（たとえば、ＤＶＤのリードイン領域）から読み出す物理情報に基づいて、光ディスク記録装置１にマウントされている光ディスク２の種類を判別する。
【００３０】
データ分割回路部３０２は、１回の動作で光ディスク２に記録するデータのデータ長の上限値を設定し、さらに、設定した上限値に応じて光ディスク２に記録するデータを分割して、生成した分割データ毎に光ディスク２への記録動作を行う。たとえば、データ分割回路部３０２は、光ディスク２がＤＶＤ−ＲＷ又はＤＶＤ＋ＲＷであると判定されると、光ピックアップ部１０が光ディスク２に記録するデータを、メモリ２０に格納されている上限長情報に設定された上限値以下のデータ長の分割データに分割する。
【００３１】
駆動電力設定回路部３０３は、光ディスク２の種類に応じて、ＬＤドライバ４０がＬＤ１０１に供給する駆動電力の電力値を設定するとともに、設定した駆動電力の電力値に応じたＬＤ１０１の光出力の制御、及びＬＤ１０１の発光／停止（すなわち、ＬＤ１０１に駆動電力を供給するか否か）の制御をするための発光制御信号をＬＤドライバ４０に出力する。たとえば、ＤＶＤ−ＲＷ又はＤＶＤ＋ＲＷの光ディスク２にデータを記録するとき、駆動電力設定回路部３０３は、メモリ２０に格納された光特性データテーブルに基づいて、ＬＤ１０１をボトムパワーＰｂの光出力で発光させるためのボトム電力（基底電力）の値、ＬＤ１０１をイレースパワーＰｅの光出力で発光させるためのイレース電力の電力値、ＬＤ１０１をピークパワーＰｗの光出力で発光させるためのピーク電力の電力値を設定する。また、駆動電力設定回路部３０３は、これらの駆動電力の電力値に応じたＬＤ１０１の光出力の制御、及びＬＤ１０１の発光／停止（すなわち、ＬＤ１１に駆動電力を供給するか否か）の制御をするための発光制御信号をＬＤドライバ４０に出力する。
【００３２】
なお、実際には、ＬＤ１０１に一定の定格電圧が印加されるため、ＬＤ１０１の光出力はＬＤ１０１に供給する駆動電流Ｉｏｐにより制御される。従って、駆動電力設定回路部３０３は、光ディスク２の種類に応じて、ＬＤドライバ４０がＬＤ１０１に供給する駆動電流Ｉｏｐの電流値を設定する。たとえば、光ディスク２がＤＶＤ−ＲＷ又はＤＶＤ＋ＲＷであると判定されるとき、駆動電力設定回路部３０３は、ボトム電流Ｉｒｅａｄ（基底電流）の電流値、イレース電流Ｉｅの電流値、及びピーク電流Ｉｗの電流値を設定する。なお、ボトム電流ＩｒｅａｄはＬＤ１０１をボトムパワーＰｂの光出力で発光させるときの駆動電流であり、イレース電流ＩｅはＬＤ１０１をイレースパワーＰｅの光出力で発光させるときの駆動電流であり、ピーク電流ＩｗはＬＤ１０１をピークパワーＰｗの光出力で発光させるときの駆動電流である。さらに、駆動電力設定回路部３０３は、これらの電流値Ｉｒｅａｄ、Ｉｅ、Ｉｗに応じたＬＤ１０１の光出力の制御、及びＬＤ１０１の発光／停止（すなわち、ＬＤ１１に駆動電力を供給するか否か）の制御をするための発光制御信号をＬＤドライバ４０に出力する。
【００３３】
また、駆動電力設定回路部３０３は、光ディスク２がＤＶＤ−ＲＷ又はＤＶＤ＋ＲＷであると判定されるとき、分割データの記録動作毎に、ボトム電力の電力値（又はボトム電流Ｉｒｅａｄの電流値）を再設定する。なお、ボトム電力の電力値（又はボトム電流Ｉｒｅａｄの電流値）を再設定する方法は特に限定しないが、たとえば、図示しない温度センサによりＬＤ１０１の素子温度を検知し、メモリ２０に格納された素子温度毎の光出力データテーブルからボトム電力の電力値を算出する方法や、ボトム電力の電力値を少しずつ変化させてＬＤ１０１が発光するときの駆動電力の電力値を求める方法などを利用することができる。
【００３４】
ＬＤドライバ４０は、駆動電力設定回路部３０３から入力される発光制御信号に基づいて、ＬＤ１０１の発光／停止を制御する。また、ＬＤドライバ４０は、ＬＤ１０１に一定の駆動電圧を印加するとともに、図２のようなＬＤ１０１の光出力制御を行うために、ＬＤ１０１に供給する駆動電流Ｉｏｐの電流値を制御している。また、ＬＤドライバ４０は、ＬＤ１０１の光出力をフィードバック制御するＡＰＣ（Automatic Power Control）機能を有している。ＬＤドライバ４０は、ＬＤ１０１から出射されるレーザ光の光出力（発光パワー）が変動しないように、ＰＤ１０５から入力される光電変換信号に基づいて、ＬＤ１０１に供給する駆動電流Ｉｏｐの電流値をフィードバック制御している。
【００３５】
サーボ回路部５０は、スピンドルモータ６０の回転速度や光ピックアップ部１０内のアクチュエータ１０４を制御し、光ディスク２の記録面上にデータを記録する書き込み位置や読み込み位置を制御している。
【００３６】
スピンドルモータ６０は、サーボ回路部５０から出力される制御信号に基づいて、光ディスク２を回転させる駆動部である。
【００３７】
映像音声処理回路部７０は、光電変換信号に対して各種の処理（復調処理など）を施し、光電変換信号に基づいて様々なコンテンツデータ（たとえば、映像データや、音声データ、文字データなど）を生成し、たとえば映像信号や音声信号として出力回路部８０に出力する。出力回路部８０は、外部接続端子を有し、外部の機器に対して映像信号や音声信号、制御信号を入出力するインターフェースである。
【００３８】
次に、光ディスク記録装置１に光ディスク２がマウントされるときの動作について説明する。図３は、本実施形態に係る光ディスク記録装置に光ディスクをマウントしたときの動作を説明するためのフローチャートである。
【００３９】
光ディスク記録装置１に光ディスク２がマウントされると、光ピックアップ部１０が光ディスク２のフォーカスサーチ及びトラッキング調整などを行う。（ステップＳ１０１）そして、光ピックアップ部１０は光ディスク２の内周領域（たとえば、ＤＶＤのリードイン領域）から物理情報を読み出す。（ステップＳ１０２）この物理情報は、光ディスク２の種類やデータ領域内の記録可能なセクタ長（データ長）などの情報を有している。この物理情報に基づいて、判定回路部３０１は光ディスク２の種類を判別する。（ステップＳ１０３）制御回路部３０は、判定回路部３０１が判定した光ディスク２の種類に応じて、各制御信号の調整を行う。（ステップＳ１０４）
【００４０】
次に、光ディスク２がＤＶＤ２ａであると判定されたとき、光ディスク記録装置１がＤＶＤ２ａにデータを記録する動作について説明する。図４は、本実施形態に係る光ディスク記録装置がＤＶＤにデータを記録するときの動作を説明するためのフローチャートである。
【００４１】
先ず、制御回路部３０は、ＤＶＤ２ａのリードイン領域から読み出した物理情報を参照して、ＤＶＤ２ａのデータ領域のうちの書き込み可能なセクタ長（データ長）を確認する。（ステップＳ２０１）制御回路部３０は、データをＤＶＤ２ａに記録するときに必要なデータ長が、ＤＶＤ２ａに書き込み可能なセクタ長以下であるか否かを判定する。（ステップＳ２０２）データの記録に要するデータ長が書き込み可能なセクタ長よりも長い場合（ステップＳ２０２でＮＯ）、制御回路部３０は記録処理を終了する。
【００４２】
また、データの記録に要するデータ長が書き込み可能なセクタ長以下である場合（ステップＳ２０２でＹＥＳ）、判定回路部３０１は、このＤＶＤ２ａがＤＶＤ−ＲＷ又はＤＶＤ＋ＲＷであるか否かを判定する。（ステップＳ２０３）
【００４３】
光ディスク記録装置１にマウントされているＤＶＤ２ａがＤＶＤ−ＲＷ又はＤＶＤ＋ＲＷではない場合（ステップＳ２０３でＮＯ）、データ分割回路部３０２は、ＤＶＤ２ａに記録するデータを、ＤＶＤ２ａのデータ領域におけるデータを記録するアドレスや記録速度（たとえば、倍速）に応じたデータ長（たとえば、１０００［ｈ］）毎に分割する。（ステップＳ２０４）次に、駆動電力設定回路部３０３は、メモリ２０に格納されている光出力データテーブルを参照し、判定回路部３０１が判定したＤＶＤ２ａの種類（たとえば、ＤＶＤ−ＲやＤＶＤ−ＲＯＭなど）に応じて、ＬＤ１０１の光出力制御に必要なパラメータ（記録動作時のＬＤ１０１の駆動電力の電力値や駆動電流Ｉｏｐの電流値など）を設定する。（ステップＳ２０５）そして、光ピックアップ部１０が各分割データをＤＶＤ２ａに記録し（ステップＳ２０６）、処理が終了する。
【００４４】
一方、光ディスク記録装置１にマウントされているＤＶＤ２ａがＤＶＤ−ＲＷ又はＤＶＤ＋ＲＷである場合（ステップＳ２０３でＹＥＳ）には、データ分割回路部３０２は、メモリ２０から上限長情報を読み出す。（ステップＳ２０７）そして、データ分割回路部３０２は、光ピックアップ部１０が１回の動作で記録するデータのデータ長の上限値を上限長情報に設定されている値（たとえば、１００００［ｈ］）に設定する。（ステップＳ２０８）さらに、データ分割回路部３０２は、ＤＶＤ２ａに記録するデータをその上限値以下のデータ長の分割データに分割し、ｍ（ｍは１以上の整数）個の分割データを生成する。（ステップＳ２０９）このとき、データ分割回路部３０２は、各分割データのデータ長が上限値を越えないように、ＤＶＤ２ａに記録するデータを分割する。言い換えると、各分割データのデータ長はいずれもステップＳ２０８で設定した上限値以下となっている。
【００４５】
次に、駆動電力設定回路部３０３は、メモリ２０に格納されている光出力データテーブルを参照し、判定回路部３０１が判定したＤＶＤ２ａの種類（ＤＶＤ−ＲＷ又はＤＶＤ＋ＲＷ）に応じてＬＤ１０１の光出力制御に必要なパラメータ（記録動作時のＬＤ１０１の駆動電力の電力値や駆動電流Ｉｏｐの電流値など）を設定するとともに、初期発光制御信号をＬＤドライバ４０に出力する。（ステップＳ２１０）たとえば、駆動電力設定回路部３０３は、光出力データテーブルを参照して、ボトム電流Ｉｒｅａｄ（基底電流）の電流値、イレース電流Ｉｅの電流値と、ピーク電流Ｉｗの電流値と、を設定する。そして、駆動電力設定回路部３０３は、これらの電流値Ｉｒｅａｄ、Ｉｅ、Ｉｗに応じたＬＤ１０１の光出力の制御、及びＬＤ１０１を発光させるための初期発光制御信号をＬＤドライバ４０に出力する。なお、記録動作開始時のボトム電流Ｉｒｅａｄの電流値及びイレース電流値Ｉｅの電流値はメモリ２０に格納された光特性データテーブルに設定されているが、ピーク電流Ｉｗの電流値は、イレース電流Ｉｅの電流値とボトム電流Ｉｒｅａｄの電流値との差（Ｉｅ−Ｉｒｅａｄ）に対するピーク電流Ｉｗの電流値とボトム電流Ｉｒｅａｄの電流値との差（Ｉｗ−Ｉｒｅａｄ）が予め定められた比率ε（ε＞１）となるように設定される。この比率εは、メモリ２０に格納された光特性データテーブルに設定されている。
【００４６】
次に、制御回路部３０は記録回数ｎを１に設定する。（ステップＳ２１１）そして、光ピックアップ部１０が、ｍ個の分割データのうちのｎ番目の分割データをＤＶＤ２ａのデータ領域に記録する。（ステップＳ２１２）このとき、イレース電流Ｉｅの電流値は、ＬＤドライバ４０により、ＰＤ１０５から入力される光電変換信号に応じてフィードバック制御される。また、ＬＤドライバ４０は、駆動電力設定回路部３０３から入力される発光制御信号に基づいて、駆動電力設定回路部３０３が設定した直近のボトム電流Ｉｒｅａｄの電流値をＬＤ１０１に供給する。また、ＬＤドライバ４０は、直近のボトム電流Ｉｒｅａｄの電流値と、フィードバック制御されたイレース電流Ｉｅの電流値と、光出力データテーブルに予め設定された比率εと、に応じた電流値となるようにピーク電流Ｉｗの電流値を制御する。
【００４７】
ｎ番目の分割データの記録動作が終了すると、制御回路部３０は記録回数ｎがｍに等しいか否かを判定する。（ステップＳ２１３）する。記録回数ｎがｍに等しい場合（ステップＳ２１３でＹｅｓ）、制御回路部３０は処理を終了する。
【００４８】
一方、記録回数ｎがｍに等しくない場合（ステップＳ２１３でＮｏ）には、駆動電力設定回路部３０３がボトム電流Ｉｒｅａｄの電流値を再設定するとともに、制御回路部３０が記録回数ｎに１を加算して処理をステップＳ２１２に戻す（ステップＳ２１４）。
【００４９】
以上により、ＤＶＤ−ＲＷ又はＤＶＤ＋ＲＷの光ディスク２にデータを記録するとき、記録するデータが上限長情報に設定された上限値以下のデータ長の分割データに分割される。そして、分割データの記録動作毎に、ＬＤ１０１をボトムパワーＰｂで発光させるためのボトム電流Ｉｒｅａｄの電流値が再設定される。そのため、ＤＶＤ−ＲＷ又はＤＶＤ＋ＲＷの光ディスク２に記録するデータのデータ長が記録動作中にＬＤ１０１の素子温度が上昇ほどに長い場合であっても、データの記録処理中にボトム電流Ｉｒｅａｄの電流値が再設定されるので、ＬＤ１０１に供給されるピーク電流Ｉｗの電流値を最適値に設定することができる。図５は、本実施形態における駆動電流の電流値に対するレーザダイオードの光出力特性を示すグラフである。
【００５０】
図５において、ＤＶＤ−ＲＷ又はＤＶＤ＋ＲＷの光ディスク２にデータを記録する動作中に素子温度が上昇してＬＤ１０１の光出力特性がＬ１からＬ２に変化すると、レーザ光をボトムパワーＰｂで光出力するために必要なボトム電流Ｉｒｅａｄの電流値が変化する。このとき、イレースパワーＰｅはレーザ光の光出力に応じてフィードバック制御されるので変動しないが、イレースパワーＰｅで光出力するために必要なイレース電流Ｉｅが特性曲線Ｌ２に基づいてＩｅ１からＩｅ２に変化するため、イレース電流Ｉｅの電流値がΔＩｅだけ変動する。また、ピーク電流ＩｗもＩｗ１からＩｗ２に変化するため、ピーク電流Ｉｗの電流値が、フィードバック制御されたイレース電流Ｉｅ２の電流値と再設定された直近のボトム電流Ｉｒｅａｄ２の電流値との差（Ｉｅ２−Ｉｒｅａｄ２）に対して変化後のピーク電流Ｉｗ２の電流値と直近のボトム電流Ｉｒｅａｄ２の電流値との差（Ｉｗ２−Ｉｒｅａｄ２）が光出力特性データテーブルに予め定められた比率ε（ε＞１）となるように設定される。そのため、ピークパワーＰｗが変動することがない。従って、ＤＶＤ−ＲＷやＤＶＤ＋ＲＷの光ディスク２にデータを記録する動作中におけるＬＤ１０１の光出力の変動を抑制することができる。
【００５１】
以上、本発明について実施形態をもとに説明した。この実施形態は例示であり、その各構成要素や各処理の組み合わせに色々な変形例が可能であり、本発明の範囲にあることは当業者に理解されるところである。
【産業上の利用可能性】
【００５２】
本発明は、少なくともＤＶＤ−ＲＷやＤＶＤ＋ＲＷに対して記録動作が可能なＤＶＤレコーダやＢＤレコーダなどに利用することができる。
【符号の説明】
【００５３】
１      光ディスク記録装置
１０      光ピックアップ部
１０１      レーザダイオード、ＬＤ（半導体レーザ素子）
１０２      ビームスプリッタ
１０３      対物レンズ
１０４      アクチュエータ
１０５      フォトダイオード、ＰＤ
２０      メモリ（記憶部）
３０      制御回路部
３０１      判定回路部
３０２      データ分割回路部
３０３      駆動電力設定回路部
４０      ＬＤドライバ（駆動制御回路部）
５０      サーボ回路部
６０      スピンドルモータ
７０      映像音声処理回路部
８０      出力回路部
２      光ディスク（光ディスク記録媒体）
２ａ      ＤＶＤ（光ディスク記録媒体）
【図１】
0005397412.tif 000002
【図２】
0005397412.tif 000003
【図３】
0005397412.tif 000004
【図４】
0005397412.tif 000005
【図５】
0005397412.tif 000006
【図６】
0005397412.tif 000007